(57)【要約】【課題】幅２０ｃｍ以上の比較的広いフィルムのカット性を向上させる。【解決手段】巻回体収容箱１は、軸線方向Ｄ長さが２０ｃｍ以上の巻回体９１ｒを収容する本体部１０と、蓋板２１と掩蓋片２２とを有する蓋部２０とを備える。掩蓋片２２は、長尺物９１ｆを前板１２との間で幅全体にわたって挟むことができる大きさに形成されている。そして、蓋部２０を閉じたときに蓋部２０及び前板１２の相互に対向する部分の少なくとも一方に、長尺物９１ｆの実質的に幅全体に対応して引出方向Ｐの長尺物９１ｆの移動を規制する全幅係止手段１２ｓが形成されている。而して、長尺物９１ｆを前板１２と蓋部２０とで挟んで切断刃２３で切断する際に長尺物９１ｆが滑ってたるんでしまうことを全幅にわたって防ぎ、長尺物９１ｆのカット性を向上させる。巻回体入り収容箱１００は、巻回体９１ｒと、巻回体収容箱１とを備える。【選択図】図１
2013086813.tif 000002
【特許請求の範囲】
【請求項１】
薄膜状の長尺物が巻かれて形成された軸線方向の長さが２０ｃｍ以上の巻回体を収容する直方体状に形成された本体部であって、前記巻回体が収容されたときに前記巻回体の軸線と平行になる４つの長方形面のうちの１つが開口した開口面に形成されると共に、前記開口面に直交する２つの前記長方形面のうちの一方を構成する後板と、前記後板に対向する前記長方形面を構成する前板と、を有する本体部と；
前記後板の前記開口面と交わる端辺である後板端辺に回動可能に連接された蓋部であって、前記蓋部を閉じたときに、前記開口面を覆う蓋板と、前記蓋板に連接されて前記前板の一部を覆う掩蓋片と、を有する蓋部とを備え；
前記掩蓋片は、前記前板の前記開口面と交わる端辺である前板端辺に沿って、前記巻回体から引き出された前記長尺物を前記前板との間で前記長尺物の幅全体にわたって挟むことができる大きさに形成されると共に、引き出された前記長尺物を切断する切断刃が設けられ；
前記蓋部を閉じたときに前記蓋部及び前記前板の相互に対向する部分の少なくとも一方に、引き出された前記長尺物の実質的に幅全体に対応して、前記長尺物が引き出される方向である引出方向の前記長尺物の移動を規制する全幅係止手段が形成された；
巻回体収容箱。
【請求項２】
前記全幅係止手段が形成された前記蓋部及び前記前板の少なくとも一方の部分が、引き出された前記長尺物の側に隆起して構成された；
請求項１に記載の巻回体収容箱。
【請求項３】
前記隆起して構成された部分が、前記前板端辺寄りの前記前板の面に形成された、前記開口面側よりも前記底板側の方が前記本体部の外側に開いたフラップで構成され；
前記フラップは、前記巻回体の軸線が延びる方向の長さが、引き出された前記長尺物の幅方向の長さと実質的に同じであり、輪郭が前記前板の面内を通る切り線と前記前板端辺とで形成されると共に、前記切り線の両端が前記前板端辺に実質的に到達して形成され；
前記全幅係止手段が前記フラップ上に形成された；
請求項２に記載の巻回体収容箱。
【請求項４】
前記掩蓋片は、前記蓋板に連接した折曲辺に対向する先端辺が、前記先端辺の中点から前記先端辺の端の側に移動するに連れて、前記折曲辺に直交する方向における前記折曲辺と前記先端辺との距離が短くなるように構成された；
請求項１乃至請求項３のいずれか１項に記載の巻回体収容箱。
【請求項５】
薄膜状の長尺物が巻かれた巻回体と；
請求項１乃至請求項４のいずれか１項に記載の巻回体収容箱とを備える；
巻回体入り収容箱。
【発明の詳細な説明】
【技術分野】
【０００１】
本発明は巻回体収容箱及び巻回体入り収容箱に関し、特に幅が比較的広いフィルムに対してカット性を向上させることができる巻回体収容箱及び巻回体入り収容箱に関する。
【背景技術】
【０００２】
食材や料理あるいは皿などの食器を料理ごと包む食品用ラップフィルムが広く用いられている。食品用ラップフィルムは、典型的には、ロール状に巻かれた長尺のプラスチックフィルム（巻回体）が、長い直方体の容器（収容箱）に収容されており、使用する際には、先端のフィルムをロールから必要量引き出し、容器の蓋に取り付けられている切断刃で切断する。切断刃を用いてフィルムを切断する態様として、一方の手でフィルムの先端を摘んで必要量を引き出し、他方の手で蓋体を閉めると共に蓋体前面壁を容器本体側に押してフィルムを蓋体前面壁と容器本体とで挟み、引き出されたフィルムに切断刃を食い込ませるように容器をひねるのが、効率的な切断方法である（例えば、特許文献１参照。）。
【先行技術文献】
【特許文献】
【０００３】
【特許文献１】特開２００２−２７４５３４号公報（段落００１９、図２等）
【発明の概要】
【発明が解決しようとする課題】
【０００４】
しかしながら、上述の切断方法は、フィルムを蓋体前面壁と容器本体とで挟むのを片手で行うこととなるためフィルムを押さえることができる範囲が限られてしまい、巻回体の長さが２０ｃｍ以上であるようなフィルムの幅が比較的広い場合は、押さえられている部分以外のフィルムを切断する際に、フィルムを切断しようとする力が、フィルムが巻回体から引き出される方向に作用してしまい、適切にフィルムを切断することができないことがあった。
【０００５】
本発明は上述の課題に鑑み、幅が比較的広いフィルムに対してカット性を向上させることができる巻回体収容箱及び巻回体入り収容箱を提供することを目的とする。
【課題を解決するための手段】
【０００６】
上記目的を達成するために、本発明の第１の態様に係る巻回体収容箱は、例えば図１に示すように、薄膜状の長尺物９１ｆが巻かれて形成された軸線方向Ｄの長さが２０ｃｍ以上の巻回体９１ｒを収容する直方体状に形成された本体部１０であって、巻回体９１ｒが収容されたときに巻回体９１ｒの軸線９１ａと平行になる４つの長方形面のうちの１つが開口した開口面１０ｈに形成されると共に、開口面１０ｈに直交する２つの長方形面のうちの一方を構成する後板１４と、後板１４に対向する長方形面を構成する前板１２と、を有する本体部１０と；後板１４の開口面１０ｈと交わる端辺である後板端辺１８に回動可能に連接された蓋部２０であって、蓋部２０を閉じたときに、開口面１０ｈを覆う蓋板２１と、蓋板２１に連接されて前板１２の一部を覆う掩蓋片２２と、を有する蓋部２０とを備え；掩蓋片２２は、前板１２の開口面１０ｈと交わる端辺である前板端辺１９に沿って、巻回体９１ｒから引き出された長尺物９１ｆを前板１２との間で長尺物９１ｆの幅全体にわたって挟むことができる大きさに形成されると共に、引き出された長尺物９１ｆを切断する切断刃２３が設けられ；蓋部２０を閉じたときに蓋部２０及び前板１２の相互に対向する部分の少なくとも一方に、引き出された長尺物９１ｆの実質的に幅全体に対応して、長尺物９１ｆが引き出される方向である引出方向Ｐの長尺物９１ｆの移動を規制する全幅係止手段１２ｓが形成されている。
【０００７】
このように構成すると、長尺物の実質的に幅全体に対応して全幅係止手段が形成されているので、長尺物を前板と蓋部とで挟んで切断刃で切断する際に長尺物が滑ってたるんでしまうことを全幅にわたって防ぐことができ、長尺物のカット性を向上させることができる。なお、全幅係止手段が長尺物の「実質的に」幅全体に対応して形成されているとは、長尺物がたるまずに適切に切断することができる範囲において、全幅係止手段が断続的にあるいは端部に未到達の状態で形成されることを含むことを意図している。
【０００８】
また、本発明の第２の態様に係る巻回体収容箱は、例えば図１に示すように、上記本発明の第１の態様に係る巻回体収容箱１において、全幅係止手段１２ｓが形成された蓋部２０及び前板１２の少なくとも一方の部分１２ｆが、引き出された長尺物９１ｆの側に隆起して構成されている。
【０００９】
このように構成すると、前板と蓋部とで長尺物を挟んだ際の前板及び蓋部と長尺物との密着性が向上することとなり、切断時の長尺物の滑りをより確実に防ぐことができる。
【００１０】
また、本発明の第３の態様に係る巻回体収容箱は、例えば図１に示すように、上記本発明の第２の態様に係る巻回体収容箱１において、隆起して構成された部分が、前板端辺１９寄りの前板１２の面に形成された、開口面１０ｈ側よりも底板１３側の方が本体部１０の外側に開いたフラップ１２ｆで構成され；フラップ１２ｆは、巻回体９１ｒの軸線９１ａが延びる方向Ｄの長さが、引き出された長尺物９１ｆの幅方向の長さと実質的に同じであり、輪郭が前板１２の面内を通る切り線１２ｃと前板端辺１９とで形成されると共に、切り線１２ｃの両端が前板端辺１９に実質的に到達して形成され；全幅係止手段１２ｓがフラップ１２ｆ上に形成されている。なお、軸線が延びる方向のフラップの長さが引き出された長尺物の幅方向の長さと実質的に同じとは、軸線が延びる方向におけるフラップ及び長尺物の長さが同じ場合のほか、長尺物がたるまずに適切に切断することができるようにフラップと掩蓋片とで挟むことができる範囲において、長尺物の幅方向におけるフラップの長さが長尺物の長さよりも短い場合や長い場合を含むことを意図している。また、切り線の両端が前板端辺に実質的に到達しているとは、フラップの全幅と掩蓋片とで引き出された長尺物を挟むことができる程度にフラップが本体部の外側に開く範囲において、切り線の端部が前板端辺に到達していない前板の面内で止まっている場合を含むことを意図している。
【００１１】
このように構成すると、掩蓋片側からの押圧力に応じてフラップの突出量が加減されることとなり、前板と掩蓋片とが適切な力で長尺物を挟むことができる。また、量産に適した手段で簡便に隆起部を形成することができる。
【００１２】
また、本発明の第４の態様に係る巻回体収容箱は、例えば図１に示すように、上記本発明の第１の態様乃至第３の態様のいずれか１つの態様に係る巻回体収容箱１において、掩蓋片２２は、蓋板２１に連接した折曲辺２１ｆに対向する先端辺２２ｔが、先端辺２２ｔの中点から先端辺２２ｔの端の側に移動するに連れて、折曲辺２１ｆに直交する方向における折曲辺２１ｆと先端辺２２ｔとの距離が短くなるように構成されている。
【００１３】
このように構成すると、長尺物の切断方法の選択の幅を増やすことができる。
【００１４】
また、本発明の第５の態様に係る巻回体入り収容箱は、例えば図１に示すように、薄膜状の長尺物９１ｆが巻かれた巻回体９１ｒと；上記本発明の第１の態様乃至第４の態様のいずれか１つの態様に係る巻回体収容箱１とを備える。
【００１５】
このように構成すると、長尺物を切断刃で切断する際に長尺物が滑ってたるんでしまうことを全幅にわたって防ぐことができる巻回体入り収容箱となる。
【発明の効果】
【００１６】
本発明によれば、長尺物を前板と蓋部とで挟んで切断刃で切断する際に長尺物が滑ってたるんでしまうことを全幅にわたって防ぐことができ、長尺物のカット性を向上させることができる。
【図面の簡単な説明】
【００１７】
【図１】（Ａ）は本発明の実施の形態に係るラップカートンを含むラップ入りカートンの斜視図、（Ｂ）は本発明の実施の形態に係るラップカートンの部分側面断面図、（Ｃ）は本発明の実施の形態に係るラップカートンの部分斜視図である。
【図２】本発明の実施の形態に係るラップカートンの正面図である。
【図３】（Ａ）は本発明の実施の形態に係るラップカートンにより切断されたラップフィルムの切り口を示す図、（Ｂ）は比較例に係るラップカートンにより切断されたラップフィルムの切り口を示す図である。
【図４】（Ａ）は本発明の実施の形態の第１の変形例に係るラップカートンを含むラップ入りカートンの斜視図、（Ｂ）は本発明の実施の形態の第２の変形例に係るラップカートンの部分側面断面図である。
【発明を実施するための形態】
【００１８】
以下、図面を参照して本発明の実施の形態について説明する。なお、各図において互いに同一又は相当する部材には同一あるいは類似の符号を付し、重複した説明は省略する。
【００１９】
まず図１を参照して、本発明の実施の形態に係る、巻回体収容箱としてのラップカートン１、及びラップカートン１に巻回体としてのラップロール９１ｒが収容された巻回体入り収容箱としてのラップ入りカートン１００を説明する。図１（Ａ）は、ラップ入りカートン１００の斜視図、図１（Ｂ）はラップカートン１の部分側面断面図、図１（Ｃ）はラップカートン１の部分斜視図である。図１（Ａ）は、開蓋状態を示している。ラップロール９１ｒは、薄膜状の長尺物としてのラップフィルム９１ｆが円筒状の巻芯に軸線９１ａまわりに巻かれてロール状に形成されたものである。以下の説明において、ラップロール９１ｒとラップフィルム９１ｆとの外観形状の区別をしない場合は、「ラップ９１」と総称する。ラップフィルム９１ｆは、本実施の形態では、ポリ塩化ビニリデンを原料として厚さが５〜２０μｍ、幅が３０ｃｍで、帯状に形成されている。ラップフィルム９１ｆが巻かれて形成されるラップロール９１ｒは、軸線９１ａが延びる方向（以下「軸線方向Ｄ」という。）の長さが、利便性の観点から５０ｃｍ以下が好ましく、４０ｃｍ以下がより好ましく、本実施の形態では３０ｃｍになっている。ラップカートン１は、ラップロール９１ｒを収容する本体部１０と、本体部１０に連接された蓋部２０とを備えている。
【００２０】
本体部１０は、未使用のラップロール９１ｒを収容できる大きさの直方体に対して、細長い面の１つが開口面１０ｈとなっている箱である。本体部１０の大きさは、収容した未使用のラップロール９１ｒを軸線９１ａ回りに回転させるのを妨げない隙間が形成される一方で、できるだけ小さく形成されており、本実施の形態では幅４４ｍｍ、高さ４４ｍｍ、長さ３１０ｍｍの大きさに形成されている。本体部１０は、開口面１０ｈと協働して直方体の側面を構成する前板１２、底板１３、後板１４と、直方体の端面を構成する２つの脇板１５とを有している。底板１３は、開口面１０ｈに対向している。前板１２及び後板１４は、開口面１０ｈ及び底板１３に直交している。脇板１５は、典型的には正方形に形成されているが、縦横の長さが異なる矩形であってもよい。以下の説明においては、水平な面に底板１３が載置された状態を基準として、底板１３側を下、開口面１０ｈ側を上として説明する場合もある。
【００２１】
脇板１５の上端の中央部分には、３ｍｍ程度上方に延びた小片が外側に折り返されて形成された突起１５ｐが設けられている。突起１５ｐは、２つあるそれぞれの脇板１５の上端に設けられている。また、本体部１０は、前板端辺１９で前板１２と連続する副板１６（図１（Ｂ）参照）を有している。前板端辺１９は、前板１２と開口面１０ｈとが交わる部分の前板１２の端辺であり、本実施の形態では前板１２と副板１６との境界を兼ねている。副板１６は、前板１２と略同じ大きさであるが底板１３とは接しておらず、前板１２よりも本体部１０の内側に設けられている。副板１６は、底板１３側の端辺が、長手方向に沿って前板１２に接着されている。
【００２２】
蓋部２０は、本体部１０の開口面１０ｈを塞ぐ部材である。蓋部２０は、蓋板２１と、掩蓋片２２と、切断刃２３と、側蓋片２５とを有している。蓋板２１は、開口面１０ｈと略同じ大きさの矩形平板状部材であり、蓋板２１を開口面１０ｈに合わせることで本体部１０を閉塞した直方体とすることができるようになっている。蓋板２１が開口面１０ｈと略同じ大きさとは、蓋板２１が、掩蓋片２２の厚さ及び側蓋片２５の厚さの分大きく、蓋部２０の開閉を妨げない隙間が形成される程度大きい場合を含むことを意味している。蓋板２１は、長手方向の一辺が、本体部１０の後板端辺１８で連接している。換言すれば、本体部１０と蓋板２１とは、後板端辺１８を介して連接している。後板端辺１８は、後板１４と開口面１０ｈとが交わる部分の後板１４の端辺である。蓋板２１は、後板端辺１８を回転軸線として、本体部１０に対して回動することができるように構成されている。
【００２３】
掩蓋片２２は、折曲辺２１ｆを介して蓋板２１と直交し、蓋部２０を閉じたときに底板１３に向かって延びるように設けられている。掩蓋片２２は、軸線方向Ｄの両端における高さ（長方形の前板１２の短辺方向の長さ）が、前板１２の短辺方向の長さの約１／２で、軸線方向Ｄの中央部の高さが、前板１２の短辺方向の長さの約３／４となっている。折曲辺２１ｆに対向する先端辺２２ｔは、軸線方向Ｄにおける中央からそれぞれの端部に移動するに連れて、軸線方向Ｄに直交する方向における折曲辺２１ｆと先端辺２２ｔとの距離が短くなるように形成されている。このような構成により、折曲辺２１ｆに対向する先端辺２２ｔがＶ字状に形成されることとなる。掩蓋片２２は、蓋部２０が閉じられたときに、前板１２に沿って前板１２の外側に重なり、前板１２の上部を五角形状に覆うこととなる。掩蓋片２２は、軸線方向Ｄの長さが前板１２よりもわずかに長く構成されており、本体部１０に収容されているラップ９１の幅よりも長い。これにより、掩蓋片２２は、本体部１０の中から引き出されたラップフィルム９１ｆを、その幅全体にわたって、前板１２との間に挟むことができるように構成されている。掩蓋片２２の先端辺２２ｔには、ラップフィルム９１ｆを切断するための切断刃２３が取り付けられている。切断刃２３は、刃先が先端辺２２ｔから出るように、先端辺２２ｔに沿ってＶ字状に設けられている。
【００２４】
側蓋片２５は、蓋板２１及び掩蓋片２２の双方に直交して設けられている。側蓋片２５は、蓋板２１（掩蓋片２２）の両端に合計２つ設けられている。側蓋片２５は、基本形状が、長辺が蓋板２１の短辺と同じ長さで、短辺が掩蓋片２２の中央部における高さ（Ｖ字状の先端から折曲辺２１ｆまでの最短距離）と略同じ長さの長方形に形成されている。この基本形状を基に、側蓋片２５は、底板１３側の辺と後板１４側の辺とが交わる角部が、除去されている。側蓋片２５は、掩蓋片２２に連接された接合片２２ｊに接着剤で固定されている。側蓋片２５の内側には、接合片２２ｊと蓋板２１との間に、凹部２５ｄが形成されている。凹部２５ｄには、蓋部２０を閉じたときに、脇板１５の上端に設けられた突起１５ｐが嵌ることとなる。上述のように構成された蓋部２０は、閉じたときに、本体部１０の開口１０ｈに覆い被さり、掩蓋片２２が前板１２の上部を覆うようになっている。
【００２５】
本体部１０及び蓋部２０は、本実施の形態では、約０．４５〜０．７ｍｍ厚のコートボール紙が加工されて形成されている。本実施の形態では、説明の便宜上、本体部１０と蓋部２０とを機能の観点から区別しているが、本体部１０及び蓋部２０は、１枚の原紙を切り出して組み立てられて一体に形成されている。本体部１０及び蓋部２０の表面は、消費者の購買意欲を惹起するようなデザインが印刷されたうえで、全体に表面処理が施されている。また、ラップカートン１は、前板１２の上部に、前板１２の面が切り込まれることにより、副板１６から離れて本体部１０の外側に浮くフラップ１２ｆが形成されている。つまり、前板１２は、フラップ１２ｆを含んで構成されている。
【００２６】
ここで、図２を図１と併せて参照して、フラップ１２ｆの詳細を説明する。図２は、ラップカートン１の正面図であり、開蓋状態を示している。フラップ１２ｆは、本実施の形態では、軸線方向Ｄの長さがラップフィルム９１ｆの幅よりもやや短く、高さ方向の最大長さが前板１２全体の高さの約１／２に形成されている。なお、軸線方向Ｄにおけるフラップ１２ｆの長さは、ラップフィルム９１ｆの幅よりも長くてもよく、ラップフィルム９１ｆの切断時に許容できないほどラップフィルム９１ｆが滑ってしまうことを回避できる程度にラップフィルム９１ｆをフラップ１２ｆと掩蓋片２２とで挟むことができる範囲で、本実施の形態のようにラップフィルム９１ｆの幅よりも短くてもよい（軸線方向Ｄにおける長さがフラップ１２ｆとラップフィルム９１ｆとで実質的に同じ）。フラップ１２ｆの軸線方向Ｄにおける長さがラップフィルム９１ｆの幅よりも長く形成されていると、フラップ１２ｆによってラップフィルム９１ｆの全幅を支えることができ、切断時のラップフィルム９１ｆの滑りの発生をより低減することができる。他方、フラップ１２ｆの軸線方向Ｄにおける長さがラップフィルム９１ｆの幅よりも短く形成されていると、軸線方向Ｄにおける前板１２の端部まわりの本体部１０の強度の低下を抑制することができる。本実施の形態では、軸線方向Ｄにおいて、フラップ１２ｆの両端がそれぞれ前板１２の端よりも１５ｍｍ中央寄りに形成されているが、１０ｍｍあるいは５ｍｍ中央寄りに形成されていてもよい。
【００２７】
フラップ１２ｆは、前板１２の面内に形成された切り線１２ｃと、前板端辺１９とが輪郭となる。切り線１２ｃは、前板１２の一部を切断する線である。切り線１２ｃは、一方の脇板１５に近い前板端辺１９から、底板１３側かつ他方の脇板１５側に進みつつ、他方の脇板１５に近い前板端辺１９に至るように、前板１２の面内が切断されることで形成されている。フラップ１２ｆの輪郭を構成する切り線１２ｃの両端が前板端辺１９に到達していることで、フラップ１２ｆの副板１６からの浮きを良好に保つことができる。また、フラップ１２ｆが副板１６から過度に浮き上がる場合には、切り線１２ｃの両端を前板端辺１９に対して離すことによってフラップ１２ｆの浮き具合を調節することができる。切り線１２ｃの端部と前板端辺１９との距離が長くなるほどフラップ１２ｆの浮き量が小さくなり、例えば３ｍｍ離れているよりも５ｍｍ離れている方が浮き量は小さくなる。切り線１２ｃの端部と前板端辺１９との距離の上限は、引き出された長尺物９１ｆを、フラップ１２ｆの全幅と掩蓋片２２とで挟むことができる程度にフラップ１２ｆが本体部１０の外側に開く範囲で決定することが好ましく、この範囲を切り線１２ｃの両端が前板端辺１９に実質的に到達しているということとする。フラップ１２ｆは、前板端辺１９で副板１６と連接していることにより、切り線１２ｃで切断されていても本体部１０から脱落しないように構成されている。また、フラップ１２ｆは、前板端辺１９で副板１６と連接していることにより、前板端辺１９を回転軸線として回動することができるように構成されている。フラップ１２ｆの下側の辺は、軸線方向Ｄの中央部において、前板端辺１９側に凹んだ窪みが中心の両脇に形成されることで、明確な凸部１２ｐが形成されている。本実施の形態では、凸部１２ｐ両側の前板端辺１９側に凹んだ窪みに対向する前板１２が、楕円状に刳り貫かれており、正面から副板１６の一部が見えている。フラップ１２ｆは、蓋部２０を閉じたときに掩蓋片２２に覆われて外面に表れない大きさに形成されている。
【００２８】
フラップ１２ｆの表面には、全幅係止手段としての前面ストッパー１２ｓが形成されている。前面ストッパー１２ｓは、本実施の形態では、ＵＶニスが塗布されることで形成されている。前面ストッパー１２ｓを形成するＵＶニスは、ラップフィルム９１ｆに対して付着するが、紙や埃等は付着しない特性を有している。また、前面ストッパー１２ｓに付着したラップフィルム９１ｆは、付着面に平行な方向（せん断方向）には強く付着するが、付着面から引き離す方向には弱く付着する。つまり、前面ストッパー１２ｓは、ラップフィルム９１ｆが本体部１０から引き出される方向である引出方向Ｐに引かれたときにはラップフィルム９１ｆを引出方向Ｐに移動させないようにラップフィルム９１ｆに付着し、ラップフィルム９１ｆが付着面から離れる方向に引かれたときにはラップフィルム９１ｆが容易に剥がれるように構成されている。前面ストッパー１２ｓは、本体部１０から引き出されたラップフィルム９１ｆがフラップ１２ｆと掩蓋片２２とに挟まれたときに、実質的にラップフィルム９１ｆの幅全体に接するように、フラップ１２ｆの表面に形成されている。ここで「実質的にラップフィルム９１ｆの幅全体に接する」とは、厳密に連続して接することを求める意図ではなく、ラップフィルム９１ｆの切断時に、適切な切断を妨げるほどにラップフィルム９１ｆが移動してしまうことを回避できる程度にラップフィルム９１ｆを係止させることができる範囲で、断続的に接しない部分があったり、両端に接しない部分があることを許容することを意味している。本実施の形態では、前面ストッパー１２ｓが、フラップ１２ｆよりも外側の前板１２の面にも形成されている（図１（Ｃ）参照）。さらに、本実施の形態では、前面ストッパー１２ｓを形成しているのと同様のＵＶニスが前板端辺１９にも塗布されて、引出方向Ｐのラップフィルム９１ｆの移動を規制する端辺ストッパー１９ｓが形成されている（図１（Ｃ）参照）。本実施の形態では、端辺ストッパー１９ｓが、フラップ１２ｆと脇板１５との間（軸線方向Ｄにおけるフラップ１２ｆよりも外側）で、前板端辺１９の両端部に形成されている。このような構成により、ラップフィルム９１ｆの切断時の滑りが比較的生じやすいラップフィルム９１ｆの幅方向の端部において、ラップフィルム９１ｆの滑りの発生をより抑制することができる。
【００２９】
引き続き図１及び図２を参照して、ラップ入りカートン１００の作用を説明する。ラップカートン１の作用は、ラップ入りカートン１００の作用の一環として説明する。未開封のラップ入りカートン１００は、掩蓋片２２の先端に、先端辺２２ｔ上のミシン目（不図示）を介して切取片（不図示）が接続されており、切取片（不図示）は前板１２に複数の点で接着されている。ラップフィルム９１ｆを初めて使用する際は、切取片（不図示）を、前板１２から剥がしつつミシン目（不図示）で切断して掩蓋片２２から分離する。このようにラップカートン１を開封することで、蓋部２０が本体部１０に対して後板端辺１８まわりに回動可能な状態となる。
【００３０】
開封されたラップ入りカートン１００は、本体部１０の中にラップロール９１ｒが入っている。ラップロール９１ｒには、ラップフィルム９１ｆの先端に引出シール（不図示）が貼り付けられており、引出シール（不図示）を摘んで引き出すことでラップフィルム９１ｆの先端がラップロール９１ｒから剥離し、容易にラップフィルム９１ｆを引き出すことができる。ラップフィルム９１ｆを使用する際は、ラップロール９１ｒからラップフィルム９１ｆを必要な長さ分引き出して切断刃２３で切断する。このとき、ラップフィルム９１ｆを必要な長さ分引き出した状態で蓋部２０を閉じ、ラップフィルム９１ｆを前板１２と掩蓋片２２とで挟み、掩蓋片２２の図心を親指で押さえ、切断刃２３の中央を引き出されたラップフィルム９１ｆに食い込ませるようにラップ入りカートン１００を軸線９１ａまわりにひねると、ラッピングする食器等にラップフィルム９１ｆを付けた状態でも切断しやすく、好適である。
【００３１】
ラップフィルム９１ｆは、切断される際、引出方向Ｐに張力が掛けられた状態で切断刃２３が入れられる。このため、仮に前面ストッパー１２ｓが実質的にラップフィルム９１ｆの幅全体に対応して形成されていないとすると、前面ストッパー１２ｓのない部分に対応するラップフィルム９１ｆは、引出方向Ｐの張力に応じてラップカートン１に対して滑りながら（引き出されながら）切断されることとなり、ラップフィルム９１ｆの切断線が切断刃２３に対応した切り口にならなくなる。例えば、ＵＶニス（ラップフィルム係止手段）が前板１２の中央部（蓋部２０を閉じたときに掩蓋片２２の図心に対向する点の周辺部分）にのみ塗布されている場合、前板１２と掩蓋片２２とで挟む力がラップフィルム９１ｆに作用しなくなった位置からラップフィルム９１ｆの滑りが生じ、ラップフィルム９１ｆの切り口のＶ字の角度が、切断刃２３のＶ字の角度よりも鋭角になってしまい（図３（Ｂ）参照）、切り口が粗くなってしまうことがある。この現象は、ラップロール９１ｒの軸線方向Ｄの長さ（ラップフィルム９１ｆの幅）が２０ｃｍ未満の場合は、前板１２と掩蓋片２２とに挟まれて押さえられる部分以外の、ラップフィルム９１ｆの滑る範囲が限定的であるため、滑りに伴う悪影響は軽微であるが、ラップロール９１ｒの軸線方向Ｄの長さが２０ｃｍ以上の比較的長い（幅広の）場合は顕著である。
【００３２】
本実施の形態に係るラップカートン１では、前面ストッパー１２ｓが、ラップフィルム９１ｆの実質的に軸線方向Ｄの長さ全体に接するように、フラップ１２ｆの表面に形成されているので、前板１２と掩蓋片２２とで挟む力が弱くなる部分においてもラップフィルム９１ｆの引出方向Ｐへの移動（滑り）を止めることができる。さらにラップカートン１では、フラップ１２ｆと脇板１５との間の前板１２の面及び前板端辺１９にも前面ストッパー１２ｓ及び端辺ストッパー１９ｓが形成されているので、軸線方向Ｄ端部におけるラップフィルム９１ｆの引出方向Ｐへの移動（滑り）をより確実に止めることができる。これらの作用によって、ラップカートン１で切断されたラップフィルム９１ｆの切り口は、切断刃２３の形態に対応した適切なものとなる（図３（Ａ）参照）。
【００３３】
切断された後に前板１２と掩蓋片２２との間に挟まれているラップフィルム９１ｆは、前面ストッパー１２ｓに付着しているため、ラップロール９１ｒへの巻き戻りが防止される。また、次回ラップフィルム９１ｆを使用する際に、蓋部２０を開けると、フラップ１２ｆが本体部１０の外側に浮いているので、フラップ１２ｆに形成された前面ストッパー１２ｓに付着しているラップフィルム９１ｆの先端もフラップ１２ｆの外側の前板１２から浮くこととなり、摘みやすい。
【００３４】
上述のように、ラップ入りカートン１００によれば、ラップフィルム９１ｆを切断する際に、前面ストッパー１２ｓによってラップフィルム９１ｆの幅全体にわたってラップフィルム９１ｆの引出方向Ｐへの移動（滑り）を止めることができ、ラップフィルム９１ｆを適切に切断することができる。
【００３５】
以上の説明では、ラップフィルム９１ｆがポリ塩化ビニリデンを原料として薄膜状に形成されているとしたが、ポリ塩化ビニリデン以外の、例えば、ポリエチレンやポリ塩化ビニル等の通常家庭用ラップで使用される合成樹脂で形成されていてもよい。
【００３６】
以上の説明では、端辺ストッパー１９ｓが、軸線方向Ｄにおけるフラップ１２ｆよりも外側の前板端辺１９の両端部に形成されているとしたが、実質的にラップフィルム９１ｆの幅全体に対応して形成されていてもよく、この場合は端辺ストッパー１９ｓも全幅係止手段を構成することとなる。なお、全幅係止手段として、前面ストッパー１２ｓと端辺ストッパー１９ｓとを重畳して設けてもよいが、ラップフィルム９１ｆを切断する際にラップフィルム９１ｆの引出方向Ｐへの滑りを止めることができれば、前面ストッパー１２ｓ及び端辺ストッパー１９ｓのどちらか一方を省略してもよい。端辺ストッパー１９ｓを省略した場合は、蓋部２０を完全に開けなくてもラップフィルム９１ｆを引出方向Ｐに引き出すことができる。前面ストッパー１２ｓを省略した場合は、小さい面積の全幅係止手段の形成でラップフィルム９１ｆの引出方向Ｐへの滑りを止めることができる。
【００３７】
以上の説明では、先端辺２２ｔ及び切断刃２３がＶ字状に形成されているとしたが、軸線方向Ｄに平行に延びる直線状に形成されていてもよい。先端辺２２ｔ及び切断刃２３がＶ字状に形成されていると、ラップフィルム９１ｆは、軸線方向Ｄの中央から両端に向かって切断される場合が多いが、一端から他端に向かって切断される場合もある。他方、先端辺２２ｔ及び切断刃２３が軸線方向Ｄに平行に延びる直線状に形成されている場合は、ラップフィルム９１ｆは、一端から他端に向かって切断されるのが一般的である。ラップカートン１のように全幅係止手段（１２ｓ）が形成されている場合は、ラップフィルム９１ｆが、軸線方向Ｄの中央から両端に向かって切断される場合も、一端から他端に向かって切断される場合も、ラップフィルム９１ｆの引出方向Ｐへの滑りを止めて適切に切断することができる。
【００３８】
以上の説明では、前板１２のフラップ１２ｆの軸線方向Ｄにおける長さがラップフィルム９１ｆの幅と実質的に同じに形成されているとしたが、フラップ１２ｆの軸線方向Ｄの長さがラップフィルム９１ｆの幅よりも短く（例えば、ラップフィルム９１ｆの幅の約１／３の長さ）形成されていてもよく、あるいはフラップ１２ｆが設けられていなくてもよい。しかしながら、フラップ１２ｆが設けられているとラップフィルム９１ｆを使おうとしたときに先端が前板１２から浮いて摘みやすいため好ましく、フラップ１２ｆの軸線方向Ｄの長さが実質的にラップフィルム９１ｆの幅と同じに形成されているとラップフィルム９１ｆを実質的に幅全体にわたってフラップ１２ｆによって掩蓋片２２側に近づけることができるためより好ましい。なお、フラップ１２ｆの軸線方向Ｄの長さがラップフィルム９１ｆの幅よりも短い場合も、フラップ１２ｆが設けられていない場合も、全幅係止手段として前面ストッパー１２ｓを設ける場合は、実質的にラップフィルム９１ｆの幅全体に接するように前板１２の表面（蓋部２０を閉じたときに掩蓋片２２に覆われる部分）に形成されることとなる（図４（Ａ）に一例を示す）。
【００３９】
以上の説明では、前面ストッパー１２ｓが形成された部分を引き出されたラップフィルム９１ｆの側に隆起させる手段が、前板端辺１９を回動軸線として回動することができるフラップ１２ｆであるとしたが、エンボス加工によって外側に凸になるように形成されたエンボス部（不図示）を形成する等、フラップ１２ｆ以外の構成であってもよい。
【００４０】
以上の説明では、前面ストッパー１２ｓ（全幅係止手段）が、フラップ１２ｆ（前板１２）に形成されているとしたが、図４（Ｂ）に示すように、蓋部２０を閉じたときに前板１２に対向する掩蓋片２２の部分に全幅係止手段としてのストッパー２２ｓが形成された構成としてもよい。このとき、ストッパー２２ｓが形成された掩蓋片２２の部分に、内側に凸となるエンボス加工を施す等により、ストッパー２２ｓが形成された掩蓋片２２の部分が、引き出されたラップフィルム９１ｆの側に隆起した構成としてもよい。あるいは、全幅係止手段が、前板１２側と掩蓋片２２側の双方に形成されていてもよく、前板１２側と掩蓋片２２側とに交互に形成されて蓋部２０を閉じたときに協働して実質的にラップフィルム９１ｆの幅全体に接するように構成されていてもよい。
【００４１】
以上の説明では、前面ストッパー１２ｓが、ＵＶニスが塗布されて形成されているとしたが、粘着剤を塗布する等、ＵＶニス以外の物質で形成されていてもよい。また、前面ストッパー１２ｓは、塗布によって形成されるもののほか、ラップフィルム９１ｆが付着する材質であらかじめ形成されたシート状のラベルを貼付することによって形成されていてもよい。ラップフィルム９１ｆが付着する材質として、ラップフィルム９１ｆ自体（ラップフィルム９１ｆと同じ材料で形成されたラベル）、あるいは、ポリ塩化ビニリデン、ポリプロピレン、ポリエチレンテレフタレート等の合成樹脂のうち、ラップカートン１に収容されるラップ９１に付着するものが挙げられる。つまり、前面ストッパー１２ｓは、用いられるラップフィルム９１ｆ等の長尺物の材質に応じて、当該長尺物には付着しつつ容易に剥がせることができるが埃等の異物は付着しない特性を有している物質で形成されていると好適である。端辺ストッパー１９ｓについても同様である。
【符号の説明】
【００４２】
１    ラップカートン
１０  本体部
１０ｈ  開口面
１２  前板
１２ｃ  切り線
１２ｆ  フラップ
１２ｓ  前面ストッパー
１３  底板
１４  後板
１５  脇板
１８  後板端辺
１９  前板端辺
１９ｓ  端辺ストッパー
２０  蓋部
２１  蓋板
２１ｆ  折曲辺
２２  掩蓋片
２２ｔ  先端辺
２３  切断刃
２５  側蓋片
９１ａ  軸線
９１ｆ  ラップフィルム
９１ｒ  ラップロール
１００  ラップ入りカートン
Ｐ    引出方向
【図１】
2013086813.tif 000003
【図２】
2013086813.tif 000004
【図３】
2013086813.tif 000005
【図４】
2013086813.tif 000006